(57)【要約】【課題】水や液体、害虫等の影響を受けることがなく、信頼性の高い制御手段を提供する。【解決手段】機器（図示せず）内に設けられ、電子部品１２ｃと、前記電子部品１２ｃを搭載したプリントキバン１２ａと、前記プリントキバン１２ａの６面のうち少なくとも２面に密着し、前記プリントキバン１２ａを覆う保護材とから構成されてなるもので、水、液体、害虫が電子部品１２ｃのリードやはんだに直に触れることがないので、水や害虫による影響が無く、安定して高信頼性を維持することができる。【選択図】図２
2005236172.tif 000002
【特許請求の範囲】
【請求項１】
機器内に設けられ、電子部品と、前記電子部品を搭載したプリントキバンと、前記プリントキバンの６面のうち少なくとも２面に密着し、前記プリントキバンを覆う保護材とから構成されてなる制御手段。
【請求項２】
プリントキバンに対し保護材の表面を傾斜させ形成した請求項１記載の制御手段。
【請求項３】
プリントキバンが、機器の設置時の高さ方向と略平行になるように、機器内に取り付けられてなる請求項１または２記載の制御手段。
【請求項４】
プリントキバンを収納するとともに保護材が充填されるケースを有し、前記ケースが、機器の設置時の高さ方向と略平行または、電子部品側に傾斜するように機器内に取り付けられてなる請求項１〜３のいずれか１項に記載の制御手段。
【請求項５】
保護材に、害虫の嫌うにおい成分を含ませた請求項１〜４のいずれか１項に記載の制御手段。
【請求項６】
機器の設置時の高さ方向に対するケースの下面の角度を９０度より大きく設定した請求項４または５記載の制御手段。
【請求項７】
機器内に傾けて取り付けられてなる請求項１〜６のいずれか１項に記載の制御手段。
【請求項８】
生ごみを収納する処理室と、前記生ごみを減量、減容する処理手段と、請求項１〜７のいずれか１項に記載の制御手段とを備えた生ごみ処理機。
【発明の詳細な説明】
【技術分野】
【０００１】
本発明は、水、液体を扱う機器や、害虫の影響を受けやすい機器に使用される制御手段及びそれを備えた生ごみ処理機に関するものである。
【背景技術】
【０００２】
水や液体を扱ったり害虫の影響を受けやすい機器として、電子レンジ、炊飯器などの調理機器や、家庭の台所から排出される生ごみを処理する生ごみ処理機等があるが、それらに内蔵された制御手段に水が浸入したり、害虫が住みついて故障の原因になるのを防止するために、従来は、制御手段に上部より水がかかったりしないようにカバーを設けたり、害虫の制御手段内へに侵入を防ぐために、制御手段を樹脂材で成型したボックス等に収納し、ボックスの各部に発生する隙間が大きくならないように管理をしていた（例えば、特許文献１参照）。
【特許文献１】特開平１１−３３５１５号公報
【発明の開示】
【発明が解決しようとする課題】
【０００３】
しかしながら、制御手段からは、各電気負荷と電気的に接続する為の配線が多数出ているため、配線処理を行いながら、かつ隙間を小さくすることは非常に難しかった。特に、ゴキブリ等の害虫類は、０．５ｍｍ程度の隙間があれば侵入が可能であり、対応が容易でなかった。更に、制御手段には発熱部品が搭載されているケースが多く、そのため害虫の侵入を防止するために、ボックスなどで制御手段を覆ったり、密閉したりすると、前記発熱部品の冷却が極めて困難になるとともに、制御手段の信頼性面でも大きな問題があった。
【０００４】
また、万が一水がボックス内に浸入し制御手段に付着した場合においても、今度はその水が流れ出にくく、ボックス内に残って故障の原因になるといった課題があった。
【０００５】
本発明は、前記従来の課題を解決し、水や害虫から確実に保護され、信頼性の高い制御手段及びそれを備えた生ごみ処理機を提供することを目的とするものである。
【課題を解決するための手段】
【０００６】
前記従来の課題を解決するために、本発明の制御手段は、機器内に設けられ、電子部品と、前記電子部品を搭載したプリントキバンと、前記プリントキバンの６面のうち少なくとも２面に密着し、前記プリントキバンを覆う保護材とから構成されてなるもので、例えば、電子部品の搭載面とはんだ面の２面を保護材にて密着させ覆うことで、水、液体、害虫が電子部品のリードやはんだに直に触れることがないので、水や害虫による悪影響が無く、安定した信頼性を確保することができる。
【０００７】
又、本発明の生ごみ処理機は、生ごみを収納する処理室と、前記生ごみを減量、減容する処理手段と、請求項１〜７のいずれか１項に記載の制御手段とを備えたもので、搭載された制御手段が水や害虫の影響を受けることが無いので、長期に渡って安定した生ごみの処理制御ができる生ごみ処理機を提供することができる。
【発明の効果】
【０００８】
本発明の制御手段は、水や害虫の侵入から確実に保護されるので、信頼性が高いものである。
【発明を実施するための最良の形態】
【０００９】
第１の発明は、機器内に設けられ、電子部品と、前記電子部品を搭載したプリントキバンと、前記プリントキバンの６面のうち少なくとも２面に密着し、前記プリントキバンを覆う保護材とから構成されてなるもので、例えば、電子部品の搭載面とはんだ面の２面を保護材にて密着させ覆うことで、水、液体、害虫が電子部品のリードやはんだに直に触れることがないので、水や害虫による悪影響が無く、安定した信頼性を確保することができる。
【００１０】
第２の発明は、特に、第１の発明のプリントキバンに対し保護材の表面を傾斜させ形成したもので、万が一、水が保護材に落下してきても、確実に流れ落ち、その部分に滞在することが無く、信頼性の高い制御手段を提供できるものである。
【００１１】
第３の発明は、特に、第１または第２の発明のプリントキバンが、機器の設置時の高さ方向と略平行になるように、機器内に取り付けられてなるもので、万一水が付着した場合においても、その部分に滞在することなく流れ落ちるため、水、液体の影響を最小限に止めることができ、高い信頼性が得られる。
【００１２】
第４の発明は、特に、第１〜３のいずれか１項に記載の発明のプリントキバンを収納するとともに保護材が充填されるケースを有し、前記ケースが、機器の設置時の高さ方向と略平行または、電子部品側に傾斜するように機器内に取り付けられてなるもので、万が一、水が制御手段に付着しても、確実に流れ落ち、その場に滞在することが無く、信頼性の高い制御手段を提供できるものである。
【００１３】
第５の発明は、特に、第１〜４のいずれか１つの発明の保護材に、害虫の嫌うにおい成分を含ませたもので、においにより害虫が近寄らないようになり、被害をこうむることが無くなる。
【００１４】
第６の発明は、特に、第４または第５の発明の機器の設置時の高さ方向に対するケースの下面の角度を９０度より大きく設定したもので、万が一、水が制御手段にかかっても確実に流れ落ち、その場に滞在することが無く、信頼性の高い制御手段を提供できるものである。
【００１５】
第７の発明は、特に、第１〜６のいずれか１つの発明の機器内に傾けて取り付けられてなるもので、万が一、水が制御手段のどの面に落ちてきても、確実に下方に流れ落ち、その部分に滞在することが無く、信頼性の高い制御手段を提供できるものである。
【００１６】
第８の発明は、生ごみを収納する処理室と、前記生ごみを減量、減容する処理手段と、請求項１〜７のいずれか１項に記載の制御手段とを備えたもので、搭載された制御手段が水や害虫の影響を受けることが無いので、長期に渡って安定した生ごみ処理制御ができる生ごみ処理機を提供することができる。
【００１７】
以下、本発明の実施の形態について、図面を参照しながら説明する。尚、この実施の形態によって本発明が限定されるものではない。
【００１８】
（実施の形態１）
図１は、本発明の第１の実施の形態における制御手段を搭載した生ごみ処理機の全体構成を示す断面図、図２は、同制御手段の断面図である。
【００１９】
家庭やレストランなどの台所で発生する生ごみを減量、減容させる生ごみ処理機には、熱や風で生ごみを乾燥させて減量、減容する乾燥方式と、微生物で生ごみを微生物分解して減量、減容させるバイオ式の２種類があるが、本実施の形態では、前者のものを例にして説明する。
【００２０】
生ごみ処理機は、投入された生ごみを収納し加熱・乾燥処理する処理槽１と、前記処理槽１内の生ごみを加熱・乾燥して減量、減容させる処理手段となる乾燥ヒータ２と、前記乾燥ヒータ２の熱を前記処理槽１内の生ごみに送るための乾燥ファン１０と、乾燥ファン１０を回転駆動する乾燥ファンモータ１０ａと、前記処理槽１内の生ごみを撹拌する撹拌羽根３と、撹拌羽根３を回転駆動する撹拌モータ３ａと、前記処理槽１内と連通するとともに、前記処理槽１内の生ごみから発生する蒸気の脱臭を行う触媒６と、前記触媒６の脱臭能力を高めるために前記触媒６を加熱する触媒加熱ヒータ７と、触媒６の下流側に配置され、触媒６を経由して処理槽１内の蒸気を吸引し外部に排気するための吸引ファンモータ９と、使用者が生ごみ処理機の運転操作を行うための操作部４を有している。
【００２１】
１２は、乾燥ヒータ２、乾燥ファンモータ１０ａ、撹拌モータ３ａ、触媒加熱ヒータ７、吸引ファンモータ９を制御する制御手段である。
【００２２】
乾燥ヒータ２の近傍には、前記処理槽１内の温度を検知するための庫内温度センサ５が設けられ、また触媒６の近傍には、触媒６の温度を検知する触媒温度センサ８が設けられている。
【００２３】
次に、上記構成を備えた生ごみ処理機の動作、作用について説明する。
【００２４】
処理槽１にごみを投入し、操作部４を操作して、運転を開始すると、乾燥ヒータ２の動作が開始し、同時にこの乾燥ヒータ２の熱を生ごみに当てるための乾燥ファン１０を駆動する乾燥ファンモータ１０ａ、生ごみを撹拌する撹拌羽根３を駆動する撹拌モータ３ａが駆動される。更に、生ごみからのにおいを低減させるための触媒６を加熱する触媒加熱ヒータ７、処理槽１内の空気を触媒６を通じて機体外へ放出する吸引ファンモータ９が動作を行う。
【００２５】
制御手段１２は、庫内温度センサ５で処理槽１内の温度を検知しながら、処理槽１内の温度が所定の乾燥温度になるように乾燥ヒータ２のＯＮ／ＯＦＦ制御をおこなう。また、制御手段１２は、触媒６の温度を触媒温度センサ８で検出しながら、触媒６が所定の温度になるように制御し、さらに、撹拌モータ３ａを制御して、生ごみを間欠的に撹拌羽根３で撹拌し、加熱と蒸気発散が効率良く行われるようにしている。
【００２６】
次に、制御手段１２の詳細な構成について図２、３、４を参照しながら説明する。
【００２７】
制御手段１２は、電解コンデンサ、トライアック、抵抗などの電子部品１２ｃが実装されたプリントキバン１２ａと保護材１２ｂで構成されている。プリントキバン１２ａは、電子部品１２ｃを実装した部品面とはんだ面があり、各電子部品１２ｃのリードは水、液体、害虫等から保護したい部分である。はんだ面には、電子部品１２ｃのリード、はんだランドがあり、こちらも同じく水、液体、害虫等から確実に保護したい部分である。保護材１２ｂとしてはいろいろな成分のものがあるが、ウレタン樹脂等が一般的である。
【００２８】
しかし、ウレタン樹脂は固まっても温度や湿度に対してやや弱さがあるので、長寿命を狙う場合には、多量に使用するのは避けた方が良い。よって、図２に示したように、最低でも部品面とはんだ面に、保護材１２ｂを施すようにすると良い（ここで、部品面では、例えばトライアックならばそのリードが確実に覆われる位置まで、またはんだ面では、はんだランドは勿論、電子部品１２ｃのリードが確実に隠れるところまで保護材１２ｂで覆うようにする）。
【００２９】
これにより、水、液体、害虫等が機器内に侵入しても電子部品１２ｃのリードや端子に接することが無いので、高い信頼性を確保、維持することができる。
【００３０】
また、図３に示すように、部品面側を上にして制御手段１２が、生ごみ処理機などの機器内に組み込まれる場合、プリントキバン１２の部品面に対し、その側の保護材１２ｂの表面を傾斜させて保護材１２ｂを施すようにすれば、万一保護材１２ｂの表面に水や液体が落下してきても、その傾斜により直ちに流れ落ちるので、保護材１２ｂの表面に水や、液体が滞ってそれが次第に保護材１２ｂ内に浸透し腐食の原因となるような不具合は発生せず、高い信頼性を維持することができる。
【００３１】
（実施の形態２）
図４は、本発明の第２の実施の形態における制御手段の構成を示す断面図である。なお、上記実施の形態と同一部分については、同一符号を付してその説明を省略する。
【００３２】
制御手段１２は、プリントキバン１２ａと、保護材１２ｂと、ケース１３で構成され、プリントキバン１２ａを前記ケース１３に挿入し、その上から保護材１２ｂを充填することで制御手段１２が一体化して形成されている。
【００３３】
本実施の形態の制御手段１２を、機器に取付ける際に、図４に示すように機器の設置の高さ方向（床面と直交する方向）と略平行に設置すれば、水や害虫が非常に制御手段１２上に滞在しにくく、有利である。さらに、部品面側に倒す（矢印方向に）ことで上部からの水や液体等の浸入及び害虫に対しての防御が一層有効であり、部品面に水や害虫が接することが無くなる。
【００３４】
さらに、図５に示すように、制御手段１２を機器内の取付柱に取り付ける場合、ケース１３の下面の角度Ｘを９０度より大く設定しておくと、例えば、Ａ点についた水滴がＢ点に重力で落下した時に、Ｘが９０度より大きいので、その水滴がさらにＢ点からＣ点に移動し、最終的に水滴はケース１３より流れ落ちていくことになり、非常に高品質で、高信頼性の制御手段１２を提供することができる。
【００３５】
また、図６に示すように、制御手段１２全体を傾けて機器内の取付柱に取り付けるようにすれば、制御手段１２の上面についた水滴を自然に落下させることができる。即ち、図６のようにＡ点についた水滴は、Ｂの方向に、またＣ点についた水滴もＤ方向にそれぞれ重力で移動して最終的に流れ落ちる。
【００３６】
さらに、保護材１２ｂについてであるが、害虫の侵入を防止するために、害虫が好まない匂いなどを予め混ぜ合わせることで、害虫の侵入防止になり、高品質、高信頼性の制御手段１２が得られる。
【００３７】
更に、害虫を排除するために、害虫が滞在できない、或いは害虫にとって好ましくない環境を作ることも必要である。一般的に、害虫にとって２５から３５℃前後の温度環境が適当なので、この温度帯を意図的にはずした環境を作ることで害虫の侵入を防止することができる。
【００３８】
以上のように、上記実施の形態における制御手段１２を搭載した生ごみ処理機においては、台所など屋内で使用されるものは勿論、屋外の設置され雨ざらしの状態にあるものでも、制御手段１２への水、雨、害虫の影響がまったく無く、長期に渡って安定した動作を発揮し、高信頼性を維持することができる。
【産業上の利用可能性】
【００３９】
以上のように、本発明にかかる制御手段は、雨や結露による水の浸入や、あり、ゴキブリ等の害虫による影響を受けることが無いので、不安定動作を引き起こしたりすることが無く、長期間に渡って高信頼性を維持できるので、屋外機器、水や液体を扱う機器、害虫の影響を受け易い機器などに広く適用できるものである。
【図面の簡単な説明】
【００４０】
【図１】本発明の実施の形態１における制御手段を搭載した生ごみ処理機の断面図
【図２】同制御手段の断面図
【図３】他の例を示す制御手段の断面図
【図４】本発明の実施の形態２における制御手段の断面図
【図５】他の例を示す制御手段の断面図
【図６】同制御手段の取付例を示す側面図
【符号の説明】
【００４１】
１    処理槽
２    乾燥ヒータ
３    撹拌羽根
３ａ  撹拌モータ
４    操作部
５    庫内温度センサ
６    触媒
７    触媒加熱ヒータ
８    触媒温度センサ
９    吸引ファンモータ
１０    乾燥ファン
１０ａ  乾燥ファンモータ
１２    制御手段
１２ａ  プリントキバン
１２ｂ  保護材
１２ｃ  電子部品
１３    ケース
【図１】
2005236172.tif 000003
【図２】
2005236172.tif 000004
【図３】
2005236172.tif 000005
【図４】
2005236172.tif 000006
【図５】
2005236172.tif 000007
【図６】
2005236172.tif 000008